(57)【要約】【課題】画像供給装置及び画像表示装置の組合せの変更に伴う表示設定変更を簡易に行うことができる表示システム及び画像表示装置を提供すること。【解決手段】画像情報を供給する画像供給装置（ＰＣ）２と、画像情報に応じた画像を表示する画像表示装置（プロジェクタ）３とを備えた表示システム１であって、画像供給装置２及び画像表示装置３のいずれか一方である画像供給装置２は、他方に設定された固有の識別情報を取得する識別情報取得手段２４と、識別情報、及び、画像表示装置３における画像の表示設定に係る設定情報を関連付けて記憶する記憶手段２３と、取得された識別情報に応じた設定情報を選択する設定情報選択手段２６とを備え、画像表示装置３は、設定情報選択手段２６により選択された設定情報に基づいて、画像を表示させる表示制御手段３５を備える。【選択図】図１
2009210979.tif 000002
【特許請求の範囲】
【請求項１】
画像情報を供給する画像供給装置と、前記画像情報に応じた画像を表示する画像表示装置とを備えた表示システムであって、
前記画像供給装置及び前記画像表示装置のうちのいずれか一方は、
他方に設定された固有の識別情報を取得する識別情報取得手段と、
前記識別情報、及び、前記画像表示装置における前記画像の表示設定に係る設定情報を関連付けて記憶する記憶手段と、
取得された前記識別情報に応じた前記設定情報を選択する設定情報選択手段とを備え、
前記画像表示装置は、
前記設定情報選択手段により選択された前記設定情報に基づいて、前記画像を表示させる表示制御手段を備えることを特徴とする表示システム。
【請求項２】
請求項１に記載の表示システムにおいて、
前記画像供給装置は、
前記識別情報取得手段、前記記憶手段、及び、前記設定情報選択手段と、
前記設定情報選択手段により選択された前記設定情報を、前記画像表示装置に出力する設定情報出力手段とを備え、
前記画像表示装置は、
前記画像供給装置から出力された前記設定情報を取得する設定情報取得手段を備え、
前記表示制御手段は、
前記設定情報取得手段により取得された前記設定情報に基づいて、前記画像を表示することを特徴とする表示システム。
【請求項３】
請求項２に記載の表示システムにおいて、
前記画像表示装置は、
前記画像の表示設定が変更されたか否かを判定する変更判定手段と、
前記表示設定が変更されたと判定されると、変更された前記設定情報を前記画像供給装置に出力する変更情報出力手段とを備え、
前記画像供給装置は、
変更された前記設定情報を取得する変更情報取得手段と、
前記変更情報取得手段により取得された前記設定情報で、前記記憶手段に記憶された前記設定情報を更新する設定情報更新手段とを備えることを特徴とする表示システム。
【請求項４】
請求項１に記載の表示システムにおいて、
前記画像表示装置は、
前記識別情報取得手段、前記記憶手段、及び、前記設定情報選択手段と、
前記画像の表示設定が変更されたか否かを判定する他の変更判定手段と、
前記表示設定が変更されたと判定されると、変更された前記設定情報で前記記憶手段に記憶された前記設定情報を更新する他の設定情報更新手段とを備えることを特徴とする表示システム。
【請求項５】
請求項１から請求項４のいずれかに記載の表示システムにおいて、
前記一方は、
前記識別情報取得手段により取得された前記識別情報に応じた前記設定情報が、前記記憶手段に記憶されているか否かを判定する記憶内容判定手段を備え、
前記設定情報選択手段は、前記記憶内容判定手段により、前記設定情報が記憶されていないと判定されると、初期状態の表示設定に係る設定情報を選択することを特徴とする表示システム。
【請求項６】
画像供給装置から入力される画像情報に応じた画像を表示する画像表示装置であって、
前記画像供給装置に設定された固有の識別情報を取得する識別情報取得手段と、
前記識別情報、及び、前記画像表示装置における前記画像の表示設定に係る設定情報を関連付けて記憶する記憶手段と、
取得された前記識別情報に応じた前記設定情報を選択する設定情報選択手段と、
選択された前記設定情報に基づいて、前記画像を表示する表示制御手段とを備えることを特徴とする画像表示装置。
【発明の詳細な説明】
【技術分野】
【０００１】
本発明は、画像情報を供給する画像供給装置と、前記画像情報に応じた画像を表示する画像表示装置とを備えた表示システム、及び、画像表示装置に関する。
【背景技術】
【０００２】
従来、ＰＣ（Personal Computer）やディスク型記録媒体の再生装置等の画像供給装置と、当該画像供給装置から供給される画像情報に応じた画像を表示する液晶ディスプレイやプロジェクタ等の画像表示装置とを備えた表示システムが知られている。このような表示システムとして、ＰＣとプロジェクタとを備え、これらをＵＳＢ（Universal Serial Bus）ケーブルで互いに接続したプロジェクタシステムが知られている（例えば、特許文献１参照）。
【０００３】
ところで、このような画像表示装置は、画像の表示設定（例えば、カラーモード、色の濃さ、明るさ及びシャープネス等）を変更可能に構成されている場合が多い。このような表示設定を適宜変更することにより、使用者の好み、使用環境、及び、表示する画像の種別等に応じた画像表示装置の表示状態に変更することができる。
【０００４】
【特許文献１】特開２００４−６９９９６号公報
【発明の開示】
【発明が解決しようとする課題】
【０００５】
ここで、従来の表示システムでは、使用者の変更に伴って、画像供給装置及び画像表示装置のいずれかが置き換えられる場合がある。例えば、それぞれの使用者が個別に画像供給装置としてのＰＣを所持している場合、画像表示装置の使用に際して、それぞれ異なるＰＣが画像表示装置に接続されることとなる。このような場合、当該ＰＣを所持する使用者の好みや表示する画像の種別等に応じた画像表示装置の表示設定の調整を使用者に強いるという問題がある。また、環境の異なる複数の場所に画像表示装置がそれぞれ配置されている場合に、それぞれの画像表示装置にＰＣを接続して画像を表示する場合でも、使用環境等に応じて画像表示装置の表示設定を調整する操作を使用者に強いるという問題がある。特に、携帯可能なプロジェクタ等の画像表示装置では、使用環境によって表示設定を変更する必要が生じる場合があるため、使用者の負担は大きくなる。
このため、画像供給装置及び画像表示装置の組合せに応じて、当該画像表示装置の設定を簡易に調整することができる表示システムが要望されてきた。
【０００６】
本発明の目的は、画像供給装置及び画像表示装置の組合せの変更に伴う表示設定変更を簡易に行うことができる表示システム及び画像表示装置を提供することである。
【課題を解決するための手段】
【０００７】
前記した目的を達成するために、本発明の表示システムは、画像情報を供給する画像供給装置と、前記画像情報に応じた画像を表示する画像表示装置とを備えた表示システムであって、前記画像供給装置及び前記画像表示装置のうちのいずれか一方は、他方に設定された固有の識別情報を取得する識別情報取得手段と、前記識別情報、及び、前記画像表示装置における前記画像の表示設定に係る設定情報を関連付けて記憶する記憶手段と、取得された前記識別情報に応じた前記設定情報を選択する設定情報選択手段とを備え、前記画像表示装置は、前記設定情報選択手段により選択された前記設定情報に基づいて、前記画像を表示させる表示制御手段を備えることを特徴とする。
【０００８】
ここで、画像供給装置としては、前述のように、ＰＣや、ＤＶＤ（Digital Versatile Disc）等の記録媒体を再生可能に構成され、当該記録媒体に記録された画像情報を出力する再生装置等を例示することができる。また、画像表示装置としては、液晶、プラズマ、有機ＥＬ（electroluminescence）、ＣＲＴ（Cathode Ray Tube）等の各種ディスプレイのほか、プロジェクタ等を例示することができる。
【０００９】
本発明によれば、表示システムを構成する画像供給装置及び画像表示装置のうちのいずれか一方により、他方の識別情報が取得され、当該識別情報に応じた画像表示装置の表示設定に係る設定情報が選択される。そして、画像表示装置では、選択された設定情報に基づいて、表示制御手段により、画像表示が行われる。
これによれば、画像供給装置及び画像表示装置のいずれかに、これら画像供給装置及び画像表示装置の組合せに応じた当該画像表示装置の表示設定に係る設定情報が記憶されており、当該設定情報に基づいて、画像表示装置が画像を表示することができる。このため、画像表示装置が他の画像供給装置に接続され、当該画像表示装置の表示設定が変更された場合でも、これらの組合せに応じた画像表示装置の表示設定に戻すことができるので、使用者が画像表示装置の表示設定を前回使用時の設定内容に戻す手間を省くことができる。従って、画像供給装置及び画像表示装置の組合せが変更された場合でも、当該画像表示装置の表示設定変更を簡易に行うことができる。
【００１０】
本発明では、前記画像供給装置は、前記識別情報取得手段、前記記憶手段、及び、前記設定情報選択手段と、前記設定情報選択手段により選択された前記設定情報を、前記画像表示装置に出力する設定情報出力手段とを備え、前記画像表示装置は、前記画像供給装置から出力された前記設定情報を取得する設定情報取得手段を備え、前記表示制御手段は、前記設定情報取得手段により取得された前記設定情報に基づいて、前記画像を表示することが好ましい。
【００１１】
本発明によれば、画像供給装置が、画像表示装置の識別情報を取得する識別情報取得手段と、当該識別情報に応じた設定情報を記憶する記憶手段、及び、当該設定情報を選択する設定情報選択手段を備えているほか、選択された設定情報を画像表示装置に出力する設定情報出力手段を備えている。
ここで、このような画像供給装置としては、前述のように、ＰＣを例示することができるが、一般的なＰＣは、ＨＤＤ（Hard Disk Drive）など、比較的大きな記憶容量を有する記憶手段を備えていることが多い。このため、画像供給装置が、画像表示装置の設定情報を記憶することで、当該画像供給装置に接続される画像表示装置が複数存在する場合でも、当該各画像表示装置に係る設定情報を確実に保持しておくことができる。
【００１２】
また、画像表示装置では、設定情報取得手段により、画像供給装置により選択された設定情報を確実に取得することができ、表示制御手段により、当該設定情報に応じた表示設定に基づく画像表示を行うことができる。従って、１台の画像供給装置に、複数の画像表示装置がそれぞれ接続される場合でも、各画像表示装置に応じた表示設定に簡易に変更することができる。
【００１３】
本発明では、前記画像表示装置は、前記画像の表示設定が変更されたか否かを判定する変更判定手段と、前記表示設定が変更されたと判定されると、変更された前記設定情報を前記画像供給装置に出力する変更情報出力手段とを備え、前記画像供給装置は、変更された前記設定情報を取得する変更情報取得手段と、前記変更情報取得手段により取得された前記設定情報で、前記記憶手段に記憶された前記設定情報を更新する設定情報更新手段とを備えることが好ましい。
【００１４】
本発明によれば、例えば、リモコン等の操作手段に対する使用者の操作により、画像表示装置の表示設定が変更されるごとに、変更された設定情報が画像供給装置に出力されるので、現在使用中の画像表示装置の表示設定に係る設定情報と、画像供給装置に記憶された当該画像表示装置の表示設定に係る設定情報とを同期させることができる。従って、画像供給装置にて、記憶されている設定情報に、変更された設定情報を確実に反映することができる。
【００１５】
また、画像表示装置の変更情報出力手段が、全ての表示設定に係る設定情報を出力するのではなく、変更された設定情報の項目及び変更内容を変更情報として出力するように構成されている場合には、画像表示装置から画像供給装置に転送されるデータ量、及び、当該変更情報の転送時間を短くすることができる。従って、画像表示装置と画像供給装置との間で設定情報を転送している間に、これらの接続が切断されてしまう可能性を低くすることができ、これにより、画像供給装置が、変更された設定情報を確実に記憶することができる。
【００１６】
或いは、本発明では、前記画像表示装置は、前記識別情報取得手段、前記記憶手段、及び、前記設定情報選択手段と、前記画像の表示設定が変更されたか否かを判定する他の変更判定手段と、前記表示設定が変更されたと判定されると、変更された前記設定情報で前記記憶手段に記憶された前記設定情報を更新する他の設定情報更新手段とを備えることが好ましい。
【００１７】
本発明によれば、画像表示装置が、前述の識別情報取得手段、記憶手段、設定情報選択手段、及び、表示制御手段を備えているので、画像供給装置からの識別情報の取得が可能であれば、当該画像供給装置に応じた表示設定に切り替えることができる。従って、画像供給装置から設定情報を取得する必要がないので、表示設定を迅速かつ確実に切り替えることができる。
また、変更判定手段により、表示設定が変更されたと判定された場合には、他の設定情報更新手段により、画像表示装置の記憶手段に記憶され、かつ、現在接続されている画像供給装置の識別情報に応じた設定情報が、変更された表示設定の内容で更新される。この際、画像供給装置に対して設定情報を転送する必要がない。従って、使用者の操作に応じて表示設定が変更された場合でも、変更された内容で設定情報を迅速かつ確実に更新することができる。
【００１８】
本発明では、前記一方は、前記識別情報取得手段により取得された前記識別情報に応じた前記設定情報が、前記記憶手段に記憶されているか否かを判定する記憶内容判定手段を備え、前記設定情報選択手段は、前記記憶内容判定手段により、前記設定情報が記憶されていないと判定されると、初期状態の表示設定に係る設定情報を選択することが好ましい。
【００１９】
本発明によれば、互いに一度も接続されていない画像供給装置と画像表示装置との組合せでは、画像表示装置の表示設定は、初期状態に設定される。これによれば、使用者に表示設定の変更を促すことができるので、表示システムの使用環境等に応じた画像表示装置の表示設定に変更することができ、当該変更された表示設定に係る設定情報を、画像表示装置又は画像供給装置が記憶することができる。また、他の画像供給装置と組み合わされた際に、画像表示装置の表示設定が初期状態から変更されている場合でも、初めて接続される画像供給装置との組合せでは、当該表示設定は初期状態に戻ることとなるので、使用環境に極端に合わない画像が表示されてしまうことを防ぐことができる。
【００２０】
また、本発明の画像表示装置は、画像供給装置から入力される画像情報に応じた画像を表示する画像表示装置であって、前記画像供給装置に設定された固有の識別情報を取得する識別情報取得手段と、前記識別情報、及び、前記画像表示装置における前記画像の表示設定に係る設定情報を関連付けて記憶する記憶手段と、取得された前記識別情報に応じた前記設定情報を選択する設定情報選択手段と、選択された前記設定情報に基づいて、前記画像を表示する表示制御手段とを備えることを特徴とする。
【００２１】
本発明によれば、前述の表示システムと同様の効果を奏することができる。特に、前述の識別情報取得手段、記憶手段、設定情報選択手段、及び、表示制御手段を備えた画像表示装置と同様の効果を奏することができ、これにより、画像表示装置の汎用性を向上することができる。
【発明を実施するための最良の形態】
【００２２】
〔１．第１実施形態〕
以下、本発明の第１実施形態に係る表示システム１を、図面に基づいて説明する。
〔表示システムの構成〕
図１は、本実施形態に係る表示システム１の構成を示すブロック図である。
本実施形態に係る表示システム１は、図１に示すように、所定の画像情報を出力する画像供給装置としてのＰＣ２と、当該ＰＣ２から入力される画像情報に応じた画像を形成及び投射して、所定の投射面上に当該画像を表示する画像表示装置としてのプロジェクタ３と、当該プロジェクタ３を遠隔操作するリモコン４とを備えている。これらのうち、ＰＣ２とプロジェクタ３とは、本実施形態では、互いにＵＳＢ（Universal Serial Bus）ケーブルで接続されている。
【００２３】
リモコン４は、プロジェクタ３に所定の処理を実行させる操作信号を赤外線信号にて送信する。このようなリモコン４には、プロジェクタ３の表示設定を変更するためのメニュー画面内の項目を選択する操作キーや、当該項目の変更を決定する決定キー等が配設され、リモコン４は、これらキーの入力に応じた操作信号をプロジェクタ３に送信する。
【００２４】
〔ＰＣの構成〕
ＰＣ２は、一般的なＰＣで構成され、所定のアプリケーション等を起動して、所定の処理等を行うものである。このようなＰＣ２は、当該処理の結果を示す画像や、動作状態を示す画像等の画像情報を生成する画像生成手段２１と、生成された画像情報を画像表示装置（例えば、プロジェクタ３）に出力する画像情報出力手段２２とを備えている。
また、ＰＣ２は、プロジェクタ３の表示設定に係る設定情報を当該プロジェクタ３に出力するために、記憶手段２３、識別情報取得手段２４、記憶内容判定手段２５、設定情報選択手段２６、設定情報出力手段２７、変更判定手段２８、変更情報取得手段２９及び設定情報更新手段２Ａを備えている。
【００２５】
記憶手段２３は、ＨＤＤ（Hard Disk Drive）で構成され、ＰＣ２の動作に必要な各種プログラム（前述のアプリケーションを含む）及び各種データを記憶するほか、ＰＣ２に接続される画像表示装置の識別情報と、当該画像表示装置の表示設定に係る設定情報とを関連付けて記憶している。また、記憶手段２３は、画像表示装置の初期状態の表示設定に係る設定情報を記憶している。
【００２６】
識別情報取得手段２４は、ＰＣ２に接続された画像表示装置への画像情報の出力に際して、当該画像表示装置の識別情報を取得する。このような識別情報としては、画像表示装置のベンダーＩＤやシリアル番号を例示することができるほか、ＰＣ２と画像表示装置とがＬＡＮ（Local Area Network）により接続されている場合には、当該画像表示装置に設けられたネットワークアダプタのＭＡＣ（Media Access Control）アドレスを例示することができる。更には、当該識別情報は、予め使用者により画像表示装置に設定された番号や文字列とすることもできる。なお、本実施形態においては、識別情報取得手段２４は、画像表示装置のベンダーＩＤを取得する。
【００２７】
記憶内容判定手段２５は、識別情報取得手段２４により取得された識別情報に応じた設定情報が、記憶手段２３に記憶されているか否かを判定する。
設定情報選択手段２６は、記憶内容判定手段２５により、識別情報に応じた設定情報が記憶手段２３に記憶されていると判定された場合に当該設定情報を選択し、記憶されていないと判定された場合に、予め記憶手段２３に記憶された画像表示装置の初期状態の設定情報を選択する。
設定情報出力手段２７は、設定情報選択手段２６により選択された設定情報を、ＰＣ２に接続されている画像表示装置に出力する。
【００２８】
変更判定手段２８は、当該ＰＣ２に接続されている画像表示装置にて、表示設定の変更があったか否かを判定する。具体的に、変更判定手段２８は、当該画像表示装置から変更された項目及び変更内容を含む設定情報（変更情報）が入力されたか否かを判定し、当該変更情報が入力された場合に表示設定の変更があったと判定し、また、入力されていない場合に表示設定の変更がないと判定する。
変更情報取得手段２９は、変更判定手段２８により、表示設定の変更があったと判定された場合に、前述の変更情報を取得する。
設定情報更新手段２Ａは、取得された変更情報に含まれる項目及び変更内容に基づいて、当該変更情報を出力した画像表示装置に係る設定情報において、対応する項目の設定内容を更新する。
【００２９】
〔プロジェクタの構成〕
プロジェクタ３は、前述のように、画像供給装置としてのＰＣ２から入力される画像情報に応じた画像を形成及び投射して、投射面上に当該画像を表示する画像表示装置である。また、プロジェクタ３は、当該ＰＣ２から入力される設定情報に応じて、当該画像の表示設定を変更する。このようなプロジェクタ３は、操作手段３１、画像形成手段３２、記憶手段３３、設定情報取得手段３４、表示制御手段３５、変更判定手段３６、設定情報更新手段３７及び変更情報出力手段３８を備えている。
このうち、操作手段３１は、リモコン４に配設されたキーと同様のキーが配設された操作パネルとして構成され、使用者により当該キーが入力された場合に、入力されたキーに応じた処理を実行させる制御信号を出力する。
【００３０】
画像形成手段３２は、後述する表示制御手段３５から入力する駆動信号に応じて駆動して、プロジェクタ３に入力した画像情報に応じた画像を形成及び投射する。このような画像形成手段３２は、光源装置３２１、光変調装置３２２及び投射光学装置３２３を備えている。なお、図示を省略したが、画像形成手段３２は、これらの構成の他に、光源装置３２１から射出された光束を赤（Ｒ）、緑（Ｇ）及び青（Ｂ）の各色光に分離する色分離光学装置、及び、各色光を合成するクロスダイクロイックプリズム等の色合成光学装置を備え、光変調装置は、各色光の光路上に配置されている。
【００３１】
光源装置３２１は、放電型の光源ランプと、当該光源ランプから出射された放射光を反射して所定位置に収束させるリフレクタとを備えている。このうち、光源ランプの点灯は、表示制御手段３５により制御される。なお、本実施形態では、光源ランプは、超高圧水銀ランプで構成したが、他の放電型の光源ランプを備える構成としてもよい。また、光源装置３２１は、光源ランプに代えて、ＬＥＤ（Light Emitting Diode）及びＬＤ（Laser Diode）等の固体光源、並びに、有機ＥＬ（Electroluminescence）素子を備える構成とすることも可能である。
【００３２】
光変調装置３２２は、一対の透明なガラス基板に電気光学物質である液晶が密閉封入された構成を有する液晶パネルと、当該液晶パネルを挟むように配置された一対の偏光板とを備えている。このうち、液晶パネルは、表示制御手段３５から入力される駆動信号に応じて、当該液晶の配向状態が制御され、入射光束の偏光方向を変調する。なお、前述のように、光変調装置３２２は、色合成光学装置で分離された赤（Ｒ）、緑（Ｇ）及び青（Ｂ）の各色光の光路上に配置され、当該各光変調装置により、各色光に係る画像光が形成される。そして、これら各画像光は、色合成光学装置により合成され、カラー画像に係る画像光が形成される。
投射光学装置３２３は、色合成光学装置により合成された画像光を拡大投射するものである。この投射光学装置３２３は、鏡筒と、当該鏡筒内部に収納される複数のレンズとを備えた組レンズとして構成されている。
【００３３】
記憶手段３３は、プロジェクタ３の動作に必要な各種プログラム及び各種データを記憶している。このようなデータとして、現在のプロジェクタ３の画像の表示設定に係る設定情報が挙げられる。
設定情報取得手段３４は、ＰＣ２等の画像供給装置から画像情報が入力される際に入力される設定情報を取得し、当該設定情報で、記憶手段３３に記憶されている設定情報を更新する。
【００３４】
表示制御手段３５は、プロジェクタ３全体を制御する。例えば、表示制御手段３５は、入力される画像情報を処理して、当該画像情報に応じた駆動信号を前述の光変調装置３２２に出力する画像処理手段としても機能する。そして、表示制御手段３５は、当該画像処理手段として機能する際には、記憶手段３３に記憶された設定情報に係る表示設定に基づいて、プロジェクタ３のカラーモード、及び、画像形成手段３２により形成される画像の画質（例えば、色の濃さ、明るさ及びシャープネス等）を調整する。更に、表示制御手段３５は、操作手段３１及びリモコン４からの制御信号の入力に応じて、画像形成手段３２により、画像の表示設定を調整するメニュー画面を表示させる。
【００３５】
変更判定手段３６は、本発明の変更判定手段及び他の変更判定手段に相当し、操作手段３１及びリモコン４に対する使用者の操作により、前述のメニュー画面にて画像の表示設定が変更されたか否かを判定する。
設定情報更新手段３７は、本発明の他の設定情報更新手段に相当し、変更判定手段３６により、表示設定が変更されたと判定された場合に、変更された表示設定の項目及び変更内容を含む変更情報を取得し、当該変更内容で、記憶手段３３に記憶された設定情報において対応する項目の内容を更新する。
変更情報出力手段３８は、当該変更情報を取得して、プロジェクタ３に接続された画像供給装置（例えば、ＰＣ２）に出力する。
【００３６】
〔表示システムの処理〕
図２は、ＰＣ２及びプロジェクタ３により行われる処理を示すフローチャートである。
画像供給装置としてのＰＣ２と、画像表示装置としてのプロジェクタ３とが接続され、当該ＰＣ２がプロジェクタ３に画像情報を出力する際には、図２に示すように、まず、ＰＣ２の識別情報取得手段２４が、当該ＰＣ２に接続されているプロジェクタ３の識別情報を取得する（ステップＳ１１）。
【００３７】
この後、記憶内容判定手段２５が、取得された識別情報に応じた設定情報が記憶手段２３に記憶されているか否かを判定する（ステップＳ１２）。
ここで、記憶手段２３に記憶されていると判定された場合には、設定情報選択手段２６が、識別情報に対応する設定情報を選択し（ステップＳ１３）、記憶手段２３に記憶されていないと判定された場合には、当該設定情報選択手段２６は、プロジェクタ３の初期状態の設定情報を選択する（ステップＳ１４）。
そして、設定情報出力手段２７が、設定情報選択手段２６により選択された設定情報を、識別情報が取得された画像表示装置、すなわち、プロジェクタ３に出力する（ステップＳ１５）。この後、ＰＣ２は、ステップＳ１６に移行する。
【００３８】
一方、プロジェクタ３では、設定情報取得手段３４が、ＰＣ２から入力される設定情報を取得し（ステップＳ２１）、当該設定情報取得手段３４は、記憶手段３３に記憶されている設定情報を更新する（ステップＳ２２）。この後、表示制御手段３５が、更新された設定情報に基づいて、画像形成手段３２による画像表示を制御する（ステップＳ２３）。
この後、変更判定手段３６が、使用者の操作により、表示設定が変更されたか否かを判定する判定処理を実行し（ステップＳ２４）、変更されていないと判定した場合には、当該判定処理を繰り返し実行する。
【００３９】
ここで、変更判定手段３６が、表示設定が変更されたと判定した場合には、設定情報更新手段３７が、変更された項目の内容で、記憶手段３３に記憶された設定情報において対応する項目の設定内容を更新する（ステップＳ２５）。また、これに伴って、変更情報出力手段３８が、当該変更された項目、及び、当該項目の変更内容を、変更情報としてＰＣ２に出力する（ステップＳ２６）。この後、プロジェクタ３は、処理をステップＳ２３に戻すことで、変更された設定情報に基づく画像の表示制御が、表示制御手段３５により行われる。
【００４０】
前述のように、ＰＣ２では、ステップＳ１５の後、ステップＳ１６に処理を移行される。このステップＳ１６では、変更判定手段２８が、プロジェクタ３から変更情報が入力されたか否かを判定することで、当該プロジェクタ３の表示設定が変更されたか否かを判定する判定処理を実行する（ステップＳ１６）。
ここで、変更判定手段２８が、当該表示設定は変更されていないと判定した場合、すなわち、プロジェクタ３から変更情報が入力されていないと判定した場合には、当該変更判定手段２８は、ステップＳ１６の判定処理を繰り返し実行する。
【００４１】
一方、変更判定手段２８が、当該表示設定は変更されたと判定した場合、すなわち、プロジェクタ３から変更情報が入力されたと判定した場合には、変更情報取得手段２９が、当該変更情報を取得する（ステップＳ１７）。そして、設定情報更新手段２Ａが、取得された変更情報が示す設定情報の項目及び変更内容に基づいて、記憶手段２３に記憶されたプロジェクタ３に係る設定情報の対応する項目の設定内容を更新する（ステップＳ１８）。この後、ＰＣ２は、ステップＳ１６に処理を移行し、次のプロジェクタ３の表示設定の変更に備える。
【００４２】
以上説明した本実施形態の表示システム１によれば、以下の効果がある。
（１）画像供給装置としてのＰＣ２に、当該ＰＣ２に接続される画像表示装置としてのプロジェクタ３の表示設定に係る設定情報が記憶されている。この設定情報は、プロジェクタ３にて画像を表示する際に出力され、プロジェクタ３は、当該設定情報に応じて画像を表示する。これによれば、当該プロジェクタ３が他の画像供給装置に接続されて表示設定が変更された場合でも、このプロジェクタ３が再度ＰＣ２に接続された場合に、プロジェクタ３の設定情報がＰＣ２から入力されるので、使用者がプロジェクタ３の表示設定を、前回使用時の設定内容に変更する手間を省くことができる。従って、使用者が意識することなく、プロジェクタ３の表示設定を、以前使用した設定状態に簡易に変更することができる。
【００４３】
（２）ＰＣ２に接続されるプロジェクタ３等の画像表示装置の設定情報は、ＨＤＤにより構成されるＰＣ２の記憶手段２３に記憶される。これによれば、当該ＰＣ２に接続される画像表示装置が多種多様に亘る場合でも、これら画像表示装置の設定情報を確実に記憶することができる。
また、プロジェクタ３の設定情報取得手段３４が、ＰＣ２にて選択及び出力された設定情報を取得して、表示制御手段３５が、当該設定情報に応じた画像表示を行うので、プロジェクタ３と同様の構成を有する他の画像表示装置がＰＣ２に接続された場合でも、当該画像表示装置に応じた表示設定に簡易に変更することができる。
【００４４】
（３）プロジェクタ３の変更判定手段３６により、表示設定の変更が確認された場合には、変更情報出力手段３８が、変更情報をＰＣ２に出力する。そして、当該変更情報は、ＰＣ２の変更情報取得手段２９により取得され、当該変更情報に基づいて、設定情報更新手段２Ａにより、記憶手段２３に記憶されている設定情報が更新される。これによれば、プロジェクタ３にて表示設定が変更されるごとに、変更情報がＰＣ２に出力されるので、プロジェクタ３の設定情報と、当該プロジェクタ３に応じてＰＣ２に記憶された設定情報とを同期させることができる。従って、プロジェクタ３にて変更された設定情報を、ＰＣ２に記憶された設定情報に確実に反映することができる。
【００４５】
また、プロジェクタ３から出力される変更情報は、変更された設定情報の項目及び変更内容を含むので、全ての設定情報がＰＣ２に入力される場合に比べ、プロジェクタ３からＰＣ２に転送されるデータ量及び転送時間を削減することができる。従って、設定情報の転送中に、プロジェクタ３とＰＣ２との接続が切断される可能性を低くすることができ、これにより、ＰＣ２にて、変更された設定情報を確実に記憶することができる。
【００４６】
（４）ＰＣ２とプロジェクタ３とが互いに一度も接続されていない場合には、ＰＣ２にて、プロジェクタ３の初期状態の設定情報が選択及び出力され、プロジェクタ３の設定情報は、当該初期状態の設定情報に更新される。これによれば、使用者にプロジェクタ３の表示設定の変更を促すことができるので、表示システム１の使用環境に応じたプロジェクタ３の表示設定に係る設定情報に変更させることができ、当該設定情報をＰＣ２が記憶することができる。また、プロジェクタ３が他の画像供給装置と接続され、当該プロジェクタ３の表示設定が初期状態から変更されている場合でも、初めて接続されるＰＣ２等の画像供給装置との組合せでは、当該表示設定は初期状態に戻るので、プロジェクタ３により、使用環境に極端に合わない画像が表示されてしまうことを防ぐことができる。
【００４７】
〔２．第２実施形態〕
次に、本発明の第２実施形態に係る表示システム１Ａを説明する。
本実施形態に係る表示システム１Ａは、前述の表示システム１と同様の構成を備えるが、当該表示システム１では、ＰＣ２がプロジェクタ３の表示設定に係る設定情報を記憶する構成としたのに対し、表示システム１Ａでは、プロジェクタ３が、ＰＣ２の識別情報に応じた表示設定に係る設定情報を記憶する点において、表示システム１Ａと表示システム１とは相違する。なお、以下の説明では、既に説明した部分と同一または略同一である部分については、同一の符号を付して説明を省略する。
【００４８】
〔表示システムの構成〕
図３は、本実施形態に係る表示システム１Ａの構成を示すブロック図である。
表示システム１Ａは、図３に示すように、画像供給装置としてのＰＣ５と、当該ＰＣ５から入力される画像情報に応じた画像を形成及び投射して、当該画像を所定の投射面上に表示する画像表示装置としてのプロジェクタ６と、当該プロジェクタ６を遠隔操作するリモコン４とを備えている。そして、表示システム１Ａにおいては、プロジェクタ６が、ＰＣ５の識別情報を取得し、当該識別情報に応じた画像の表示設定に変更する。なお、本実施形態では、ＰＣ５とプロジェクタ６とは、ＬＡＮで接続されている。
【００４９】
〔ＰＣの構成〕
ＰＣ５は、前述のＰＣ２と同様に、一般的なＰＣで構成され、プロジェクタ６等の画像表示装置に表示させる画像に係る画像情報を生成する画像生成手段２１と、生成された画像情報を外部機器（本実施形態では、プロジェクタ６）に出力する画像情報出力手段２２とを備えている。なお、詳しい図示を省略したが、ＰＣ５は、外部機器とＬＡＮ接続するためのネットワークアダプタを備え、当該ネットワークアダプタには、ＭＡＣアドレスが割り振られている。
【００５０】
〔プロジェクタの構成〕
プロジェクタ６は、操作手段３１、画像形成手段３２、記憶手段６３、識別情報取得手段６４、記憶内容判定手段６５、設定情報選択手段６６、表示制御手段６７、変更判定手段３６及び設定情報更新手段３７を備えている。
このうち、記憶手段６３は、プロジェクタ６の動作に必要な各種プログラム及び各種データを記憶するほか、プロジェクタ６の画像表示設定に係る設定情報を、当該プロジェクタ６に接続された画像供給装置（例えば、ＰＣ５）の識別情報と関連付けて記憶する。また、記憶手段６３は、初期状態の表示設定に係る設定情報を予め記憶している。
【００５１】
識別情報取得手段６４は、プロジェクタ６に接続された画像供給装置であるＰＣ５の識別情報を取得する。なお、本実施形態では、識別情報として、ＰＣ５のネットワークアダプタに設定されたＭＡＣアドレスを取得する。
記憶内容判定手段６５は、取得された識別情報に応じた設定情報が記憶手段６３に記憶されているか否かを判定する。
【００５２】
設定情報選択手段６６は、記憶内容判定手段６５により、取得された識別情報に応じた設定情報が記憶されていると判定された場合には当該設定情報を、また、識別情報に応じた設定情報が記憶されていないと判定された場合には、記憶手段６３に予め記憶されている初期状態の表示設定に係る設定情報を、当該画像表示時に利用される表示設定に係る設定情報として選択する。
表示制御手段６７は、設定情報選択手段６６により選択された設定情報に基づいて、画像形成手段３２による画像形成及び表示を制御する。
【００５３】
〔プロジェクタの表示設定処理〕
図４は、プロジェクタ６により行われる表示設定処理を示すフローチャートである。
プロジェクタ６は、画像供給装置（本実施形態では、ＰＣ５）と接続された際に、以下に示す表示設定処理を実行し、当該画像供給装置の識別情報に応じた表示設定に、現在の表示設定を変更する。
具体的に、表示設定処理では、図４に示すように、まず、プロジェクタ６の識別情報取得手段６４が、ＰＣ５のネットワークアダプタに設定されたＭＡＣアドレスを、識別情報として取得する（ステップＳ３１）。
【００５４】
この後、記憶内容判定手段６５が、取得された識別情報に応じた設定情報が記憶手段６３に記憶されているか否かを判定する（ステップＳ３２）。
ここで、記憶内容判定手段６５が、当該識別情報に応じた設定情報が記憶されていると判定した場合には、設定情報選択手段６６は、当該設定情報を、画像表示時に利用する表示設定に係る設定情報として選択する（ステップＳ３３）。
一方、記憶内容判定手段６５が、当該識別情報に応じた設定情報が記憶されていないと判定した場合には、設定情報選択手段６６は、予め記憶されている初期状態の表示設定に係る設定情報を、画像表示時に利用する表示設定に係る設定情報として選択する（ステップＳ３４）。
これらステップＳ３３，Ｓ３４の後、表示制御手段６７が、選択された設定情報に基づいて、プロジェクタ６による画像表示を制御する（ステップＳ３５）。
【００５５】
次に、変更判定手段３６が、操作手段３１又はリモコン４に対する使用者の操作により、現在の表示設定が変更されたか否かを判定する（ステップＳ３６）。
ここで、変更判定手段３６が、現在の表示設定が変更されていないと判定した場合には、当該変更判定手段３６は、ステップＳ３６の判定処理を繰り返し実行し、使用者による表示設定の変更に備える。
【００５６】
一方、変更判定手段３６が、現在の表示設定が変更されたと判定した場合には、設定情報更新手段３７が、変更された表示設定の項目及び変更内容を取得し、当該変更内容で、ＰＣ５の識別情報に対応して記憶手段６３に記憶された設定情報の対応する項目の設定内容を更新する（ステップＳ３７）。この後、プロジェクタ６は、処理をステップＳ３６に移行し、更なる表示設定の変更に備える。
【００５７】
以上説明した本実施形態の表示システム１Ａによれば、以下の効果がある。
（５）画像表示装置であるプロジェクタ６が、当該プロジェクタ６に接続された画像供給装置であるＰＣ５の識別情報を取得し、当該識別情報に応じた表示設定に係る設定情報を選択して、当該設定情報に基づく画像表示を行う。
これによれば、ＰＣ５に接続される前に、他の画像供給装置に接続されて表示設定が変更された場合でも、現在の表示設定を当該ＰＣ５にて設定された表示設定に戻すことができる。従って、プロジェクタ６の表示設定を以前の設定に戻す使用者の手間を省くことができ、当該プロジェクタ６の表示設定を簡易に変更することができる。
【００５８】
（６）プロジェクタ６が、接続されるＰＣ５等の画像供給装置に応じた表示設定に係る設定情報を記憶しているので、当該画像供給装置からの識別情報を取得することにより、当該画像供給装置に応じた表示設定に迅速かつ確実に切り替えることができる。
また、変更判定手段３６が、表示設定が変更されたと判定した場合には、設定情報更新手段３７が、記憶手段６３に記憶され、かつ、現在接続されている画像供給装置の識別情報に応じた設定情報を迅速かつ確実に更新することができる。
【００５９】
（７）ＰＣ５とプロジェクタ６とが互いに一度も接続されていない場合には、設定情報選択手段６６が、初期状態の表示設定に係る設定情報を、画像表示に際して利用する表示設定に係る設定情報として選択する。これによれば、使用者にプロジェクタ６の表示設定の変更を促すことができるので、表示システム１Ａの使用環境等に応じたプロジェクタ６の表示設定に係る設定情報をプロジェクタ６が取得及び記憶することができる。
また、プロジェクタ６が他の画像供給装置と接続され、当該プロジェクタ６の表示設定が初期状態から変更されている場合でも、初めて接続されるＰＣ５等の画像供給装置との組合せでは、当該表示設定を初期状態に戻すことができる。従って、プロジェクタ６により、使用環境に極端に合わない画像が表示されてしまうことを防ぐことができる。
【００６０】
（８）プロジェクタ６は、識別情報として、ＰＣ５のＭＡＣアドレスを取得する。このようなＭＡＣアドレスは、ネットワーク機器に固有の識別情報であるので、ＰＣ５等の画像供給装置を確実に識別することができるほか、ＰＣ５に予め識別情報を設定しておく必要がないので、当該識別情報の設定に係る使用者の手間を省くことができる。
【００６１】
〔３．実施形態の変形〕
本発明は前述の実施形態に限定されるものではなく、本発明の目的を達成できる範囲での変形、改良等は本発明に含まれるものである。
前記第１実施形態では、ＰＣ２の識別情報取得手段２４は、画像表示装置のベンダーＩＤを取得し、また、前記第２実施形態では、プロジェクタ６の識別情報取得手段６４は、ＰＣ２に設けられたネットワークアダプタのＭＡＣアドレスを取得するとしたが、本発明はこれに限らない。すなわち、画像供給装置及び画像表示装置のそれぞれに設定された固有の識別情報であれば、当該識別情報の種別は問わない。
【００６２】
前記第１実施形態では、ＰＣ２とプロジェクタ３とは、ＵＳＢケーブルにより互いに接続され、また、前記第２実施形態では、ＰＣ５とプロジェクタ６とは、ＬＡＮにより接続されているとしたが、本発明はこれに限らない。すなわち、画像供給装置及び画像表示装置のうち、いずれか一方が他方の識別情報を取得することができる接続形式であれば、他の接続形式により、画像供給装置と画像表示装置とが接続されていてもよい。
【００６３】
前記各実施形態では、光変調装置として液晶パネルを備えたプロジェクタ３，６を例示したが、入射光束を画像情報に応じて変調して光学像を形成する光変調装置であれば、他の構成の光変調装置を採用してもよい。例えば、マイクロミラーを用いたデバイスなど、液晶以外の光変調装置を用いたプロジェクタを、本発明の画像表示装置として適用することは可能である。
【００６４】
前記各実施形態では、画像供給装置としてＰＣ２，５を挙げ、また、画像表示装置としてプロジェクタ３，６を挙げたが、本発明はこれに限らない。すなわち、画像供給装置は、接続された画像表示装置に画像情報を出力可能な装置であればよく、例えば、ディスク型記録媒体を再生する再生装置等を挙げることができる。また、画像表示装置は、入力される画像情報に応じた画像を表示可能な装置であればよく、例えば、液晶、プラズマ、有機ＥＬ（electroluminescence）、ＣＲＴ（Cathode Ray Tube）等の各種ディスプレイ等を挙げることができる。
【産業上の利用可能性】
【００６５】
本発明は、ＰＣ等の画像供給装置とプロジェクタ等の画像表示装置とを備える表示システムに利用することができ、特に、各装置が頻繁に入れ替わる表示システムに好適に利用することができる。
【図面の簡単な説明】
【００６６】
【図１】本発明の第１実施形態に係る表示システムの構成を示すブロック図。
【図２】前記実施形態における表示システムの表示設定処理を示すフローチャート。
【図３】本発明の第２実施形態に係る表示システムの構成を示すブロック図。
【図４】前記実施形態におけるプロジェクタの表示設定処理を示すフローチャート。
【符号の説明】
【００６７】
１，１Ａ…表示システム、２，５…ＰＣ（画像供給装置）、３，６…プロジェクタ（画像表示装置）、２３，６３…記憶手段、２４，６４…識別情報取得手段、２５，６５…記憶内容判定手段、２６，６６…設定情報選択手段、２７…設定情報出力手段、２９…変更情報取得手段、２Ａ…設定情報更新手段、３４…設定情報取得手段、３５，６７…表示制御手段、３６…変更判定手段（変更判定手段、他の変更判定手段）、３８…変更情報出力手段、３７…設定情報更新手段（他の設定情報更新手段）。
【図１】
2009210979.tif 000003
【図２】
2009210979.tif 000004
【図３】
2009210979.tif 000005
【図４】
2009210979.tif 000006